(57)【要約】【課題】コードレス電話機の安定した充電状態を確保し、電話機の載置および取り出しを容易にする。【解決手段】置き台となる置き台１と電話機２とにより構成され、置き台１の正面には、電話機２を載置するための保持凹部３が備えられている。保持凹部３は、電話機２の形状に対応した曲面形状を有する傾斜面と、電話機２の底面とほぼ同じ形状を有する底面と、電話機２を両側から保持する側面とにより構成される。また、傾斜面は電話機２がその自重により滑り落ちることが可能な傾斜角を有しており、電話機２の下端を保持凹部３の背面に当てて電話機２を保持凹部３へ委ねると、電話機２はその自重により保持凹部３に沿って滑り落ちる。そして電話機２の底面に設けられた凹部が保持凹部３の底面に設けられた突起４と係合し、電話機２は充電可能な位置に固定される。【選択図】図４
2006115601.tif 000002
【特許請求の範囲】
【請求項１】
給電機能を持つ置き台と、この置き台に形成された保持凹部に載置する電話機とにより構成され、
前記保持凹部は、前記電話機を支持する傾斜面と、この傾斜面の正面を全面に渡って開口した開口部とを有し、
前記保持凹部の下部には、前記傾斜面の下部に設けられた給電端子から前記電話機に設けられたそれぞれの充電端子の位置が安定するように前記電話機を拘束する位置決め部材が設けられたコードレス電話機。
【請求項２】
前記傾斜面は、前記電話機がその自重により滑り落ちることが可能な傾斜角を有する請求項１記載のコードレス電話機。
【請求項３】
前記位置決め部材は、前記電話機の底面が接触する前記保持凹部の底面に設けられた突起であり、
前記電話機の底面には、前記突起と係合する凹部が設けられた請求項１または２記載のコードレス電話機。
【請求項４】
前記位置決め部材は、前記電話機の側面が接触する前記保持凹部の側面に設けられた突起であり、
前記電話機の側面には、前記突起と係合する凹部が設けられた請求項１または２記載のコードレス電話機。
【発明の詳細な説明】
【技術分野】
【０００１】
本発明は、給電機能を持つ置き台と、この置き台に載置される電話機とにより構成されるコードレス電話機に関する。
【背景技術】
【０００２】
近年の携帯電話機やコードレス電話機の小型化および軽量化に伴い、給電端子と充電端子の接触不良が発生している。これを防ぐために、携帯電話機やコードレス電話機などに搭載されているバッテリの充電は、例えば特許文献１に記載の充電器のように、電話機を垂直に立てた状態で行われている。電話機を垂直にたてることによって、電話機の重量が電話機底面の充電端子と充電器の給電端子との接触荷重に利用される。
【０００３】
このほかにも、特許文献２に記載の充電器のように、電話機に若干の傾斜を持たせて充電器本体に保持し、充電を行うものが知られている。図８に示すように、特許文献２に記載の電子機器用充電ホルダ１１は、充電器本体１４に電話機を受け入れるための凹部１３が形成され、凹部の後方の内壁面１３ａに設けられたスリット１７から給電端子１５を凹部内側に向けて突出させている。凹部の後方の内壁面１３ａに対し、前方の内壁面１３ｂは略垂直に形成され、その表面には凹部１３の内側に向けて上下方向にリブ１９が突設されている。このリブ１９の傾斜角度と後方の内壁面１３ａの傾斜角度とを略同一角度にすることにより、凹部１３に受け入れられた電話機１２をやや上向きの傾斜状態に安定的に保持し、安定した充電状態を確保できる形態となっている。
【特許文献１】特開２０００−１３４８０８号公報
【特許文献２】特開２００２−３３５６３５号公報
【発明の開示】
【発明が解決しようとする課題】
【０００４】
しかしながら、特許文献２に記載の電子機器用充電ホルダ１１の凹部１３は、電話機１２の下端のみを保持する形状となっているので、使用者は、電話機１２の凹部１３への挿入口の位置を必ず確認してから電話機１２の下端を凹部１３に挿し込まなければならず、また、電話機１２を使用する場合には、凹部１３から電話機１２を一旦持ち上げないと取り出すことができないので、使い勝手がよくない。
【０００５】
そこで、本発明は、コードレス電話機の安定した充電状態を確保しつつ、電話機の載置および取り外しを容易にすることを目的とする。
【課題を解決するための手段】
【０００６】
本発明のコードレス電話機は、給電機能を持つ置き台と、この置き台に形成された保持凹部に載置する電話機とにより構成され、前記保持凹部は、前記電話機を支持する傾斜面と、この傾斜面の正面を全面に渡って開口した開口部とを有し、前記保持凹部の下部には、前記傾斜面の下部に設けられた給電端子から前記電話機に設けられたそれぞれの充電端子の位置が安定するように前記電話機を拘束する位置決め部材が設けられたことを特徴とする。
【発明の効果】
【０００７】
本発明のコードレス電話機によれば、置き台の保持凹部の正面を全面に渡って開口しているので、この置き台の保持凹部の正面から電話機を置き台に容易に載置することができる。また、保持凹部の下部に設けられた位置決め部材により、傾斜面に設けられた給電端子と電話機に設けられた充電端子が離れないように電話機は固定されるため、安定した充
電状態を確保することができる。また、電話機を使用する場合は、開口部から置き台の正面方向にそのまま引き出すことができるので、取り外しが容易となる。
【発明を実施するための最良の形態】
【０００８】
本願の第１の発明は、給電機能を持つ置き台と、この置き台に形成された保持凹部に載置する電話機とにより構成され、保持凹部は、電話機を支持する傾斜面と、この傾斜面の正面を全面に渡って開口した開口部とを有し、保持凹部の下部には、傾斜面の下部に設けられた給電端子から電話機に設けられたそれぞれの充電端子の位置が安定するように電話機を拘束する位置決め部材が設けられたことを特徴とする。
【０００９】
置き台の保持凹部は、その正面を全面に渡って開口しているので、電話機を載置する際開口部の位置を確認して開口部に電話機を挿し込む必要がなく、電話機を置き台に容易に載置することができる。また、電話機の下端は、傾斜面の下部に設けられた給電端子の接触荷重により正面側に押された状態で保持凹部の下部に挿入されるが、保持凹部の下部に設けられた位置決め部材により、給電端子の位置と電話機に設けられた充電端子の位置とが安定するように電話機は固定されるため、安定した充電状態を確保することができる。また、電話機を使用する場合は、開口部から置き台の正面方向にそのまま引き出すことができるので、電話機を保持凹部に沿って上部に持ち上げたりする必要はなく、取り外しが容易となる。なお、位置決め部材を設ける位置および部材の高さについては、電話機の重量および電話機が保持凹部と接触する点での力の釣り合いにおいて定められる。
【００１０】
本願の第２の発明は、傾斜面は、電話機がその自重により滑り落ちることが可能な傾斜角を有することを特徴とする。
【００１１】
電話機を挿入する際、電話機の下端を保持凹部の傾斜面に当てて電話機を保持凹部に委ねると、電話機はその自重により傾斜面を滑り落ちる。そして、電話機の下端は、傾斜面の下部に設けられた給電端子の接触荷重により正面側に押された状態で保持凹部の下部に挿入されるが、保持凹部の下部に設けられた位置決め部材により、電話機は、給電端子の位置と電話機に設けられた充電端子の位置とが安定するようにその位置が固定される。よって、容易に電話機を置き台に載置することができるとともに、安定した充電状態を確保することができる。また、電話機を使用する場合は、開口部から置き台の正面方向にそのまま引き出すことができるので、置き台から電話機を容易に取り出すことができる。よって電話機を充電する場合も、電話機を使用する場合も使い勝手が向上する。
【００１２】
本願の第３の発明は、位置決め部材は、電話機の底面が接触する保持凹部の底面に設けられた突起であり、電話機の底面には、突起と係合する凹部が設けられたことを特徴とする。
【００１３】
保持凹部の底面に位置決め部材として突起を設け、この突起と係合する凹部を電話機の底面に設けたことにより、電話機を置き台に載置した際、傾斜面の下部に設けられた給電端子の位置と電話機に設けられた充電端子の位置とが安定するように電話機はその位置を固定されるため、安定した充電状態を確保することができる。また、突起が保持凹部の底面に設けられているので、電話機の上部を持ち、開口部から保持凹部の正面方向へ動かすだけで置き台からスムーズに取り外すことができ、使い勝手が向上する。なお、電話機を所定の位置に固定可能であれば、できる限り突起を小さくすることが望ましい。
【００１４】
本願の第４の発明は、位置決め部材は、電話機の側面が接触する保持凹部の側面に設けられた突起であり、電話機の側面には、突起と係合する凹部が設けられたことを特徴とする。
【００１５】
電話機の側面が接触する保持凹部の側面に位置決め部材として突起を設け、この突起と係合する凹部を電話機の側面に設けたことにより、電話機を置き台に載置した際、傾斜面の下部に設けられた給電端子の位置と電話機に設けられた充電端子の位置とが安定するように電話機はその位置を固定されるため、安定した充電状態を確保することができる。また、突起が保持凹部の下部側面に設けられているので、電話機の上部を持ち、開口部から保持凹部の正面方向へ動かすだけで置き台からスムーズに取り外すことができ、使い勝手が向上する。なお、電話機を所定の位置に固定可能であれば、できる限り突起を小さくすることが望ましい。
【００１６】
（実施の形態１）
図１は本発明の実施の形態１におけるコードレス電話機の斜視図である。図２は図１のＡ−Ａ線断面図である。図３（ａ）は電話機を示す斜視図、図３（ｂ）は電話機を示す背面図である。
【００１７】
図１から図３に示すように、本発明の実施の形態１におけるコードレス電話機は、置き台と置き台１と電話機２とから構成される。置き台１の正面には、電話機２を載置するための保持凹部３が備えられている。保持凹部３は、電話機２の形状に対応した曲面形状を有する傾斜面３ａと、電話機２の底面とほぼ同じ形状を有する底面３ｂと、電話機２を両側から保持する側面３ｃとにより構成されている。そして、この保持凹部３の正面は全面に渡って開口している開口部３ｄとなる。また、この傾斜面３ａは、電話機２がその自重により給電端子の押し出し荷重や保持凹部の傾斜面等との摩擦を考慮し、滑り落ちることが可能な傾斜角を有している。また、開口部３ｄの上縁部には、電話機２の上部背面を支持するグリル６が連接されている。なお、このグリル６は図１中のＰ部でのみ電話機２と接触し、Ｐ部は電話機２の背面の形状に対応した形状となっている。本実施の形態１ではグリル６を置き台１とは別に成形する構成としたが、置き台１と一体成形してもよい。保持凹部３の底面３ｂには電話機２を位置決めする突起４が設けられている。また、保持凹部３の傾斜面３ａに設けられたスリットからは給電端子５が突出している。この給電端子５は電話機２が滑り落ちてくる方向、つまり保持凹部３の上下方向に摺動可能となっている。
【００１８】
図３に示すように、電話機２は正面が平面状で背面が曲面を有した略半円柱状の形状を呈している。背面の下端部には凹部が設けられ、凹部には上述した置き台１の給電端子５に対応する位置に充電端子７が設けられている。また、底面には、置き台１の突起４の形状に対応した凹部（図示せず）が形成されている。電話機２を置き台１に置いた時、突起４が凹部に嵌る事により、前後方向の位置決めがなされる。
【００１９】
次に、電話機２の置き台１への載置および取り外しについて図を用いて説明する。図４は電話機２を置き台１に載置した状態を示す断面図である。
【００２０】
電話機２を置き台１に載置する場合、電話機２の下端を保持凹部３の傾斜面３ａに当てて電話機２を保持凹部３へ委ねると、電話機２はその自重により保持凹部３に沿って滑り落ちる。そして、電話機２が給電端子５を摺動しながら、保持凹部３の底面３ｂまで滑り落ちると、電話機２の底面に設けられた凹部が保持凹部３の底面３ｂに設けられた突起４と係合し、図４に示すように、給電端子５から充電端子７が離れない位置に電話機２は固定される。
【００２１】
この構成により、使用者は電話機２の下端を保持凹部３の傾斜面３ａに当てて保持凹部３に委ねるだけで、電話機２はそのまま滑り落ちて保持凹部３に保持されるので、コードレス電話機の保持凹部の開口部３ｄの位置を確認しながら電話機を充電可能な位置まで作業者自らが挿し込んだり載置したりすることなく、電話機２を容易に置き台１に載置する
ことができる。また、給電端子５から充電端子７が離れない位置に電話機２が固定されるので、電話機２の充電端子７は、保持凹部３の給電端子５に対して所定の接触荷重を確保することができ、電話機２は安定した充電状態を保つことができる。さらに、電話機２が滑り落ちる方向と給電端子５が摺動する方向とが一致することにより、両端子の接触部分のクリーニング性が向上するので、充電性能を向上させることができる。
【００２２】
また、電話機２を置き台１から使用する場合、電話機２の上部を持ち、開口部３ｄから置き台の正面方向（図４中のＱ）にそのまま引き出すだけで、保持凹部３の底面３ｂに設けられた突起４と電話機２の底面に設けられた凹部との係合は容易に外れるので、スムーズに電話機２を取り外すことができる。このようにして、本発明の実施の形態１のコードレス電話機は、電話機を充電する場合も電話機を使用する場合も、その使い勝手を向上させることができる。
【００２３】
（実施の形態２）
次に、本発明の実施の形態２におけるコードレス電話機について図を用いて説明する。図５は本発明の実施の形態２における置き台の保持凹部を示す斜視図であり、図６は電話機の斜視図である。図５および図６に示すように、本発明の実施の形態２におけるコードレス電話機については、保持凹部内に設けられた位置決め部材としての突起の一形態であるリブとそれに対応して設けられた電話機の凹部以外については本発明の実施の形態１のコードレス電話機と同じであるので、同符号を付して説明を省略する。
【００２４】
本発明の実施の形態２におけるコードレス電話機の保持凹部３の下端両側面３ｃには、それぞれ電話機２を位置決めする部材としての突起の一形態であるリブ８が設けられている。また、電話機２の下端両側面で、前記リブ８に対応する位置にはそれぞれ凹部９が設けられている。電話機２を置き台１に置いた時、リブ８が凹部９に嵌る事により、前後方向の位置決めがなされる。
【００２５】
この構成により、本発明の実施の形態２における電話機の置き台１への載置および取り外しについても実施の形態１と同様の作用効果を奏する。従って、本発明の実施の形態２のコードレス電話機は、電話機を充電する場合も電話機を使用する場合も、その使い勝手を向上させることができる。
【００２６】
本発明の実施の形態２では、位置決め部材である突起としてリブ８を形成したが、これに限らず、傾斜面３ａに設けられた給電端子５と電話機２に設けられた充電端子７が離れないように電話機２が固定されれば、突起はどのような形状であってもよい。
【００２７】
なお、本発明の実施の形態１および実施の形態２におけるコードレス電話機は、電話機２の背面側下部に充電端子７を設けたが、これとは別に電話機２の正面側下部に充電端子７を設けてもよい。この場合は、電話機２の正面側を置き台１の保持凹部３の傾斜面３ａ側に向けて載置する。
【００２８】
また、本発明の実施の形態１および実施の形態２におけるコードレス電話機の保持凹部３の傾斜面３ａは、電話機２の形状に対応した曲面形状を有していたが、これに限らず、平面形状であってもよい。また、保持凹部３の傾斜面３ａと側面３ｃとが別の面として形成されていたが、これに限らず、傾斜面３ａと側面３ｃとが特に明確に分離されない半円状の曲面で構成されていてもよい。この場合、この曲面の下部に突起を設けてもよい。
【産業上の利用可能性】
【００２９】
本発明は、安定した充電状態を確保し、電話機の載置および取り外しを容易にするので、給電機能を有する置き台と充電機能を有する子機からなるコードレス電話機に有用であ
る。
【図面の簡単な説明】
【００３０】
【図１】本発明の実施の形態１におけるコードレス電話機の斜視図
【図２】図１のＡ−Ａ線断面図
【図３】（ａ）電話機を示す斜視図、（ｂ）電話機を示す背面図
【図４】電話機を置き台に載置した状態を示す断面図
【図５】本発明の実施の形態２における置き台の保持凹部を示す斜視図
【図６】電話機の斜視図
【図７】充電端子が電話機の正面に設けられた状態を示す図
【図８】従来の充電器を示す断面図
【符号の説明】
【００３１】
１    置き台
２    電話機
３    保持凹部
３ａ    傾斜面
３ｂ    底面
３ｃ    側面
３ｄ    開口部
４    突起
５    給電端子
６    グリル
７    充電端子
８    リブ
９    凹部
【図１】
2006115601.tif 000003
【図２】
2006115601.tif 000004
【図３】
2006115601.tif 000005
【図４】
2006115601.tif 000006
【図５】
2006115601.tif 000007
【図６】
2006115601.tif 000008
【図７】
2006115601.tif 000009
【図８】
2006115601.tif 000010